(57)【要約】【課題】第１に、広く本格的な店舗サービスを提供・展開でき、第２に、雨・風に強く、第３に、調理面，衛生面，環境面，防犯面等にも優れると共に、第４に、現場での加工作業を要せず、設営，撤収，移動が簡単容易に実施できる、移動式店舗を提案する。【解決手段】この移動式店舗１は、多数本のパイプ材２を縦，横，斜に組み付けて骨組構造とし、上部が、吊り下げたテント３で覆われ、下部が、外壁材４で囲われ、内部が、店舗として使用される。パイプ材２としては、縦パイプ５，横パイプ６，屋根パイプ７，屋根横パイプ８等が、使用されている。そして、撤収時においては、パイプ材２は組み付けが解かれ、テント３は畳まれ、外壁材４は外されて、トレーラ等のトラックに積載可能となっている。その他の構成部材も、コンテナ１９に収納可能な、寸法設定，折り畳み設定，分解設定よりなる。【選択図】　　　　図１
2004084238.tif 000002
【特許請求の範囲】
【請求項１】
設営，撤収が簡単容易な移動式店舗１であって、多数本のパイプ材２を縦，横，斜に組み付けて骨組構造とし、上部が、吊り下げたテント３で覆われ、下部が、外壁材４で囲われ、内部が、店舗として使用され、
撤収時において、該パイプ材２は組み付けが解かれ、該テント３は畳まれ、該外壁材４は外されて、トレーラ等のトラックに積載可能となっていること、を特徴とする移動式店舗。
【請求項２】
請求項１に記載した移動式店舗１において、該パイプ材２として、縦パイプ５，横パイプ６，屋根パイプ７，屋根横パイプ８等が、使用されており、
該縦パイプ５は、四角形の内部空間Ａを囲んで形成すべく、多数本が相互間隔を存しつつ地面から立設固定されており、
該横パイプ６は、該内部空間Ａの各面について、複数本が相互間隔を存しつつ上下多段に配され、該縦パイプ５にクロスした箇所で止着されており、
該屋根パイプ７は、複数本が放射状に傾斜して配され、各頂端が、上受金物Ｂに集合止着されると共に、各下端が、それぞれ中位上部の高さレベルの該横パイプ６に止着されており、
該屋根横パイプ８は、各該屋根パイプ７間を各高さレベル毎に連結すべく多数本用いられ、該屋根パイプ７とクロスした箇所で止着されていること、を特徴とする移動式店舗。
【請求項３】
請求項２に記載した移動式店舗１において、該テント３は、各該屋根パイプ７から紐材１１を介して吊り下げられて、柱のない該内部空間Ａ上を覆っており、外周下端が、紐材１１を介して中位下部の高さレベルの四方の該横パイプ６に止着されていること、を特徴とする移動式店舗。
【請求項４】
請求項３に記載した移動式店舗１において、該テント３は、方形をなし、放射状に芯材１２が付加されると共に、外周縁にも芯材１２が付加されており、該芯材１２を利用して吊り下げや止着が行われていること、を特徴とする移動式店舗。
【請求項５】
請求項４に記載した移動式店舗１において、該テント３が止着された該横パイプ６上には、上下間隔を存して横受パイプ１３が四方に配されており、
該パイプ材２たる該横受パイプ１３は、多数の縦受金物Ｄ等を介して該縦パイプ５にて保持されると共に、該テント３の外周下部内側に接して、該外周下部を外側に向け拡開していること、を特徴とする移動式店舗。
【請求項６】
請求項５に記載した移動式店舗１において、該外壁材４は、分解や折り畳み可能なプラスチック製よりなり、下部の該横パイプ６や縦パイプ５に止着されて、該内部空間Ａの四面を囲っており、上端が、該テント３の下部付近に位置し、下端が、該内部空間Ａの床に配された床材１４付近に位置していること、を特徴とする移動式店舗。
【請求項７】
請求項６に記載した移動式店舗１において、該外壁材４および該横パイプ６を一部切り欠いて出入口１５が形成されており、該出入口１５には、ロック可能な扉１６が設けられていること、を特徴とする移動式店舗。
【請求項８】
請求項３に記載した移動式店舗１であって、飲食店用の店舗として使用され、内部に、設備用のコンテナ１９および接客用のテーブル２０やイス２１が配されていること、を特徴とする移動式店舗。
【請求項９】
請求項８に記載した移動式店舗１であって、該コンテナ１９内外には、厨房設備２２，ポンプ付きの給水器２３，給湯器２４，電源部２５等の各種設備２６が配されており、該給水器２３は、外部の水道管に接続可能であり、該電源部２５は、外部電源に接続可能となっていること、を特徴とする移動式店舗。
【請求項１０】
請求項９に記載した移動式店舗１であって、該縦パイプ５，横パイプ６，屋根パイプ７，屋根横パイプ８，横受パイプ１３等の各パイプ材２、該各種金物Ｂ，Ｃ，Ｄ、該厨房設備２２，給水器２３，給湯器２４，電源部２５等の各種設備２６、該テーブル２０やイス２１、該テント３、該外壁材４等は、撤収時において該コンテナ１９内に収納可能な、寸法設定，折り畳み設定，又は分解設定等よりなること、を特徴とする移動式店舗。
【発明の詳細な説明】
【０００１】
【発明の属する技術分野】
本発明は、移動式店舗に関する。すなわち、例えば大型ラーメン店の店舗として使用され、設営，撤収も簡単容易な移動式店舗、に関するものである。
【０００２】
【従来の技術】
移動式店舗は、例えば飲食店関係において多用されており、屋台，ライトバン，テント等が使用されていた。
すなわち、移動屋台やライトバンに、簡単な厨房設備，水タンク，プロパンガスボンベ，発電機，イス等を積み込んで移動すると共に、場所を選んで定車，設営して、接客し飲食を提供していた。又、テントの場合もこれに準じ、折り畳んで他の各種設備と共に車で移動し、場所を選んで設営して、接客し飲食を供していた。
【０００３】
【発明が解決しようとする課題】
《第１の問題点について》
ところで、このような従来例にあっては、次の問題が指摘されていた。まず第１に、規模が小さく、極く小人数を対象としたものに過ぎなかった。
すなわち、移動屋台，ライトバン，テント等を使用した従来の移動式店舗は、店構えを備えた通常店舗に比し、狭く零細であり規模的に劣る、という問題が指摘されていた。
【０００４】
《第２の問題点について》
第２に、雨・風に弱い、という問題も指摘されていた。すなわち、移動屋台，ライトバン，テント等を使用した従来の移動式店舗は、雨・風をしのぎ・防ぐことができない場合が多々あった。
例えば、雨漏りも心配され、テントの場合は吹き飛ばされる危険もあり、雨・風の程度によっては、店舗として営業不能となることさえあり、これらの面でも、店構えを備えた通常店舗に劣っていた。
【０００５】
《第３の問題点について》
第３に、調理面，衛生面，環境面，防犯面等にも、問題が指摘されていた。すなわち、移動屋台，ライトバン，テント等を使用した従来の移動式店舗では、厨房設備が貧弱であり、満足で十分な調理が提供できなかった。
又、食器等の洗浄も不確実・不十分となりやすく、衛生面にも不安があった。更に、テーブルやイス等の不足や、調理の音や発電機の騒音等が，接客環境を害することもあった。
又、特にテントの場合は、設営したままだと深夜・休日等に出入自在で、容易に侵入可能であり、防犯上の問題もあった。これらの面でも、店構えを備えた通常店舗に劣っていた。
【０００６】
《第４の問題点について》
第４に、これら第１，第２，第３の問題点の対策としては、移動屋台，ライトバン，テント等を使用せず、組み立て式の例えばプレハブ建造物を使用して、移動式店舗とし、もって、店構えを備えた通常店舗に劣らないサービスを提供する方式も、開発されていた。
しかしながら、この種の組み立て式建造物は、設営，撤収，移動等が非常に面倒である、という問題が指摘されていた。すなわち、その組み立て・設営のための現場作業に多大な手間と時間を要し、更に、事後の解体，撤収作業にも多大な手間と時間を要し、移動も容易でなかった。これらの問題は、規模を大きくすればする程、顕著となっていた。
【０００７】
《本発明について》
本発明は、このような実情に鑑み、上記従来例の課題を解決すべく、発明者の鋭意努力の結果なされたものである。
そして、多数本の各種パイプ材，特製テント，外壁材，特殊金物等を、初めて組み合わせて採用すると共に、大型トラックに積載可能な設定としたこと、を特徴とする。
もって本発明は、第１に、広く本格的な店舗サービスを提供・展開でき、第２に、雨・風に強く、第３に、調理面，衛生面，環境面，防犯面等にも優れると共に、第４に、設営，撤収，移動が、簡単容易に実施できる、移動式店舗を提案することを、目的とする。
【０００８】
【課題を解決するための手段】
《各請求項について》
このような課題を解決する本発明の技術的手段は、次のとおりである。まず、請求項１については次のとおり。すなわち、この請求項１の移動式店舗は、設営，撤収が簡単容易な移動式店舗であって、多数本のパイプ材を縦，横，斜に組み付けて骨組構造とし、上部が、吊り下げたテントで覆われ、下部が、外壁材で囲われ、内部が、店舗として使用される。
そして撤収時において、該パイプ材は組み付けが解かれ、該テントは畳まれ、該外壁材は外されて、トレーラ等のトラックに積載可能となっていること、を特徴とする。
請求項２については次のとおり。すなわち、この請求項２の移動式店舗は、請求項１において、該パイプ材として、縦パイプ，横パイプ，屋根パイプ，屋根横パイプ等が、使用されている。
そして該縦パイプは、四角形の内部空間を囲んで形成すべく、多数本が相互間隔を存しつつ地面から立設固定されている。該横パイプは、該内部空間の各面について、複数本が相互間隔を存しつつ上下多段に配され、該縦パイプにクロスした箇所で止着されている。
該屋根パイプは、複数本が放射状に傾斜して配され、各頂端が、上受金物に集合止着されると共に、各下端が、それぞれ中位上部の高さレベルの該横パイプに止着されている。該屋根横パイプは、該屋根パイプ間を各高さレベル毎に連結すべく多数本用いられ、該屋根パイプとクロスした箇所で止着されていること、を特徴とする。
【０００９】
請求項３については次のとおり。すなわち、この請求項３の移動式店舗は、請求項２において、該テントは、屋根パイプから紐材を介して吊り下げられて、柱のない該内部空間上を覆っており、外周下端が、紐材を介して中位下部の高さレベルの四方の該横パイプに止着されていること、を特徴とする。
請求項４については次のとおり。すなわち、この請求項４の移動式店舗は、請求項３において、該テントは、方形をなし、放射状に芯材が付加されると共に、外周縁にも芯材が付加されており、該芯材を利用して吊り下げや止着が行われていること、を特徴とする。
請求項５については次のとおり。すなわち、この請求項５の移動式店舗は、請求項４において、該テントが止着された該横パイプ上には、上下間隔を存して横受パイプが四方に配されている。そして、該パイプ材たる該横受パイプは、多数の縦受金物等を介して該縦パイプにて保持されると共に、該テントの外周下部内側に接して、該外周下部を外側に向け拡開していること、を特徴とする。
【００１０】
請求項６については次のとおり。すなわち、この請求項６の移動式店舗は、請求項５において、該外壁材は、分解や折り畳み可能なプラスチック製よりなり、下部の該横パイプや縦パイプに止着されて、該内部空間の四面を囲っており、上端が、該テントの下部付近に位置し、下端が、該内部空間の床に配された床材付近に位置していること、を特徴とする。
請求項７については次のとおり。すなわち、この請求項７の移動式店舗は、請求項６において、該外壁材および該横パイプを一部切り欠いて出入口が形成されており、該出入口には、ロック可能な扉が設けられていること、を特徴とする。
【００１１】
請求項８については次のとおり。すなわち、この請求項８の移動式店舗は、請求項３において、飲食店用の店舗として使用され、内部に、設備用のコンテナおよび接客用のテーブルやイスが配されていること、を特徴とする。
請求項９については次のとおり。すなわち、この請求項９の移動式店舗は、請求項８において、該コンテナ内外には、厨房設備，ポンプ付きの給水器，給湯器，電源部等の各種設備が配されており、該給水器は、外部の水道管に接続可能であり、該電源部は、外部電源に接続可能となっていること、を特徴とする。
請求項１０については次のとおり。すなわち、この請求項１０の移動式店舗は、請求項９において、該縦パイプ，横パイプ，屋根パイプ，屋根横パイプ，横受パイプ等の各パイプ材、該各種金物、該厨房設備，給水器，給湯器，電源部等の各種設備、該テーブルやイス、該テント、該外壁材等は、撤収時において該コンテナ内に収納可能な、寸法設定，折り畳み設定，又は分解設定等よりなること、を特徴とする。
【００１２】
《作用について》
本発明の移動式店舗は、このようになっているので、次のようになる。
▲１▼設営時には、床材が配設された後、各縦パイプが、床材上に内部空間を囲んで形成すべく、地面から立設された後、各横パイプが、各面に上下多段に配され縦パイプに止着される。
▲２▼しかる後、各屋根パイプが放射状に傾斜して配され、各頂端が、上受金物に止着され、各下端が、下受金物等を用いて横パイプに止着される。それから、各屋根横パイプが、各屋根パイプ間を連結すべく止着される。
▲３▼このように、縦パイプ，横パイプ，屋根パイプ，屋根横パイプ等のパイプ材を、縦，横，斜に組み付けて、骨組構造としてなる。
▲４▼それからテントが、屋根パイプから吊り下げられて内部空間を覆い、外周下端が、横パイプに止着される。テントは方形をなし、付加された芯材を利用して、吊り下げや止着が行われている。
【００１３】
▲５▼又、テントが止着された横パイプ上には、上下間隔を存して横受パイプが配されており、横受パイプは、下部が、縦受金物にて縦パイプに保持され、上部が、テントの外周下部内側に接して、外側に向け拡開している。
▲６▼更に外壁材が、下部の横パイプや縦パイプに止着されて、内部空間を囲い込んでいる。外壁材は、分解や折り畳み可能なプラスチック製よりなり、一部を切り欠いて出入口が形成され、ロック可能な扉が設けられている。
▲７▼このように、各パイプ材を骨組構造としつつ、テントで覆われ外壁材で囲われており、内部が、例えば飲食店用店舗として使用され、コンテナ，テーブル，イス等が配され、コンテナ内外に、厨房設備，給水器，給湯器，電源部等の各種設備が配されている。
▲８▼各パイプ材，各種金物，各種設備，テーブル，イス，テント，外壁材，床材等の各構成部材は、コンテナに収納可能な、寸法設定，折り畳み設定，分解設定等よりなる。
▲９▼そこで撤収時において、各構成部材はコンテナに収納され、トレーラ等に積載されて、運搬移動される。
【００１４】
そこでこの移動式店舗は、第１に、各種パイプ材を組み付けて、強固な骨組構造としつつ、テントで覆われ外壁材で囲われている。特に、テントの外周下部が横受パイプにて外側に向け拡開されているので、内部空間の上部も広々と形成される。もって、柱のない広い内部空間にて、本格的規模の店舗サービスを提供・展開可能となる。
第２に、強固な骨組構造を利用して、テントで覆われ外壁材で囲われているので、内部の店舗は、外部の雨・風から確実に守られる。
第３に、広い内部空間が確保されるので、本格的店舗を構えることができる。飲食店の場合は、内部に、設備用のコンテナ、接客用のテーブルやイス、厨房設備その他の各種設備等を、充実して設けることができ、給水器は水道管に、電源部は外部電源に接続される。もって、満足の行く調理が可能となる。又、食器等の洗浄も十分にでき、調理音や外部音も遮断され、更に、出入口の扉をロックすると、出入り不能・侵入不能となる。
第４に、各パイプ材を組み付けてから、テントを吊り下げ、外壁材で囲うことにより、簡単容易に設営可能である。設営現場での加工作業は、一切不要である。又、各パイプ材の組み付けを解き、テントを畳み、外壁材を外すことにより、簡単容易に撤収可能である。そして、トレーラ等に積載して、簡単容易に移動可能である。
【００１５】
【発明の実施の形態】
《図面について》
以下本発明を、図面に示す発明の実施の形態に基づいて、詳細に説明する。図１，図２，図３，図４，図５，図６等は、本発明の実施の形態の説明に供する。そして、図１は正面図、図２は平面図である。図３は、テントの平面図、図４は、内部の平面図である。図５は、要部の正断面図、図６はの（１）図は、拡大した要部の正断面図、（２）図は、コンテナの斜視図である。
【００１６】
《移動式店舗１の概要について》
この移動式店舗１は、多数本のパイプ材２を縦，横，斜に組み付けて骨組構造とし、上部が、吊り下げたテント３で覆われ、下部が、外壁材４で囲われ、内部が、店舗として使用される。
そして、撤収時において、パイプ材は組み付けが解かれ、テント３は畳まれ、外壁材４は外されて、トレーラ等のトラックに積載可能となっている。
【００１７】
《パイプ材２について》
まず、各パイプ材２について述べる。パイプ材２としては、縦パイプ５，横パイプ６，屋根パイプ７，屋根横パイプ８等が、使用されている。
縦パイプ５は、四角形の内部空間Ａを囲んで形成すべく、多数本が相互間隔を存しつつ地面から立設固定されている。横パイプ６は、内部空間Ａの各面について、複数本が相互間隔を存しつつ上下多段に配され、縦パイプ５にクロスした箇所で止着されている。
屋根パイプ７は、複数本が放射状に傾斜して配され、各頂端が、上受金物Ｂに集合止着されると共に、各下端が、中位上部の高さレベルの横パイプ６に止着されている。屋根横パイプ８は、各屋根パイプ７間を各高さレベル毎に連結すべく多数本用いられ、屋根パイプ７とクロスした箇所で止着されている。
【００１８】
このような各パイプ材２について、更に詳述する。まず縦パイプ５は、図１，図４，図５等に示したように、四角形（図示例では正方形）の内部空間Ａを、内部に囲んで形成すべく、その四面に縦に立設されている。そして各面について、それぞれ複数本が横に間隔を存しつつ、地面からジャッキ９等を介しつつ、立設されている。その高さは、例えば５〜６ｍ程度よりなる。
横パイプ６は、図１，図４，図５等に示したように、四角形の内部空間Ａの各面について、それぞれ複数本が、上下に間隔を存しつつ多段に横に設けられており、各縦パイプ５を補強すべく機能する。
そして横パイプ６は、縦パイプ５の頂端下と下端上の高さレベルにわたって、多段に配されており、縦パイプ５とクロスした個所で、クランプ１０等を用いて縦パイプ５に止着されている。横パイプ６の端部は、それぞれ同高さレベルに配された他面の横パイプ６のクロスする端部に、クランプ１０等を用いて止着されている。
【００１９】
屋根パイプ７は、図１，図２に示したように、内部空間Ａの中心線上を中心として、複数本（図示例では８本）が、下方に向け傾斜しつつ、等間隔で放射状に配されている。
そして、斜に配された各屋根パイプ７の頂端は、上受金物Ｂに集合して止着されている。上受金物Ｂは、いわゆる寄せ棟金物よりなり、屋根パイプ７の数に見合った筒部を備えており、各筒部が放射状に一体化されてなる。そして、このような上受金物Ｂ各筒部に、それぞれ屋根パイプ７の頂端が、挿着されている。
各屋根パイプ７の四方が広がった下端は、それぞれ横パイプ６に止着されている。この横パイプ６は、全体の高さレベルの中位上部レベルに横設されたものであり、屋根パイプ７の下端は、短筒状の下受金物Ｃやクランプ１０を用いて、このような横パイプ６の中央や端部に止着されている。図示例では４面・４本の横パイプ６の中央への止着用に、４個の下受金物Ｃが採用されている。
【００２０】
屋根横パイプ８は、図１，図２に示したように、このように放射状に傾斜しつつ広がって配された各屋根パイプ７間に、これらを繋ぐべく横に介装連結されており、もって各屋根パイプ７を補強すべく機能する。
この屋根横パイプ８は、各屋根パイプ７の各高さレベルに応じ多段に配されており、図示例では、４本１組で四角形をなしつつ、上下３段にわたって設けられている。そして、各屋根パイプ７とクロスした箇所や、相互間でクロスした箇所で、クランプ１０等を用いて止着されている。
パイプ材２は、このような縦パイプ５，横パイプ６，屋根パイプ７，屋根横パイプ８、等の各種単管パイプよりなる。
各パイプ材２は、このようになっている。
【００２１】
《テント３について》
次に、テント３について述べる。テント３は、各屋根パイプ７から紐材１１を介して吊り下げされて、柱のない内部空間Ａ上を覆っており、外周下端が、紐材１１を介して、中位下部の高さレベルの四方の横パイプ６に止着されている。
そしてテント３は、方形をなし、放射状に芯材１２が付加されると共に、外周縁にも芯材１２が付加されており、芯材１２を利用して吊り下げや止着が行われている。
【００２２】
このようなテント３について、更に詳述する。テント３は、図３に示したように方形、図示例では９ｍ×９ｍの正方形をなし、中心から放射状に各線状袋部が形成されると共に、その中に芯材１２が縫い込まれている。又、外周縁にも線状袋部が形成され、芯材１２が縫い込まれている。
芯材１２は、補強用として使われており、荷重によるテント３の切れや破れを防止すべく機能し、例えば樹脂製の棒材が用いられている。又、この芯材１２は、内部空間Ａ内の照明器具の吊り下げ用としても利用され、照明器具の電線を吊り下げるフックが、止着される。
又、テント３は、正方形等の方形をなして、ドーム屋根状に、同じく正方形等の方形の内部空間Ａ上を覆うので、内部空間Ａの四面を囲う外壁材４に対し収まり状態が良くなっている。つまり、上部のテント３下部と下部外壁材４上部とが、位置的に見合っており、容易に隙間，空間，しわ等がなく、密接的に接続せしめられている。
【００２３】
そしてテント３は、図１，図５に示したように、放射状の芯材１２の箇所において、各屋根パイプ７から多数の紐材１１を介して、吊り下げられ、もって張架状態となっている。
各紐材１１の長さは、縦の面で見た場合に、テント３が略三角形状ではなく、より上方に持ち上げられて略半円湾曲状・ドーム状をなすように、調整される。図示例において、テント３の頂部の地上高さは５ｍ程度である。
又、図５，図６に示したように、このように吊り下げられた外周縁の芯材１２が、多数の紐材１１を介し、四面の各横パイプ６にそれぞれ止着されている。止着対象の横パイプ６は、高さレベルで中位下部のレベルに位置するもの、図示例では下から３段目のものとなっている。
このような吊り下げと止着により、テント３は、屋根パイプ７下で横パイプ６内に、張架され不動に取り付けられており、もって内部空間Ａの屋根を形成している。
【００２４】
さて、図５，図６の（１）図に示したように、テント３が止着された四面・四方の横パイプ６上には、上下間隔を存して横受パイプ１３が配されている。
パイプ材２の１種である横受パイプ１３は、多数の縦受金物Ｄ等を介し各縦パイプ５にて保持されると共に、テント３の外周下部内側に接して、テント３の外周下部を外側に向け拡開している。
すなわち、テント３の外周下端が止着された四面・４本の横パイプ６上には、それぞれ上下間隔を存して、横の横受パイプ１３が四面・４本設けられ、テント３内を一周している。そして、この横受パイプ１３は、多数の縦の短い縦受金物Ｄにて保持されており、型金物たる縦受金物Ｄは、上部に、横受パイプ１３保持用のフックを備え、下部が、クランプ１０にて縦パイプ５に片持ち構造で止着されている。
【００２５】
テント３は、外周下部内側が、このような横受パイプ１３に外接することにより、外側に向け拡開されている。つまり、もしもこの横受パイプ１３が存在しない場合、テント３の外周下部は、図５，図６の（１）図中想像線表示したように、屋根パイプ７への最外側の吊り下げ箇所から、横パイプ６への止着箇所に向け直線状をなす。
これに対し、その途中が横受パイプ１３に外接することにより、テント３の外周下部は、図５，図６の（１）図中実線表示したように、外側に向け大きく広げられている。もってテント３は、外周下部が外側に向け拡開されて湾曲し、全体的にドーム状をなす。横受パイプ１３は、このように機能し、その機能発揮に必要な高さレベルに配されている。
そして、このようなテント３にて覆われる内部空間Ａも、上部が外側に向けて広がった空間として形成される。
テント３は、このようになっている。
【００２６】
《外壁材４等について》
次に外壁材４は、分解や折り畳み可能なプラスチック製よりなり、下部の横パイプ６や縦パイプ５に止着されて、内部空間Ａの四面を囲っており、上端が、テント３の下部付近に位置し、下端が、内部空間Ａの床に配された床材１４付近に位置している。
そして、この外壁材４および横パイプ６を一部切り欠いて、出入口１５が形成されており、出入口１５には、ロック可能な扉１６が設けられている。
【００２７】
このような外壁材４について、更に詳述する。図１，図４，図５に示したように、外壁材４は、例えば波形半透明のポリカーボネート製よりなり、パーツ毎に分解可能、又は折り畳み可能となっている。
そして外壁材４は、内部空間Ａの外壁として機能し、内部空間Ａの四面を囲っており、図示例では、フック等を用い各縦パイプ５の下部に止着されているが、横パイプ６に止着するようにしてもよい。又、外壁材４は、上部がテント３の外周下部と一部オーバーラップし、下部が、床材１４と一部オーバーラップする、上下高さよりなる。
【００２８】
図１，図４に示したように、出入口１５は、このような外壁材４および横パイプ６を一部切り欠いて、形成されている。
そして出入口１５を開閉する扉１６が、レールやローラーを利用して設けられ、鍵ロック付きとなっている。図示例では、このような出入口１５は、１箇所のみ設けられているが、もちろん複数箇所に設けることも可能である。
又、内部空間Ａの地面には、図５に示したように、多数の短縦床パイプ１７が立設されており、この各短縦床パイプ１７上部には、多数の床横パイプ１８が、マトリックス状に縦横に組み付けられている。
そして、この床横パイプ１８に、２８ｍｍ厚程度のベニヤ合板製の床材１４が、取り付けられている。この床材１４は、多数のパーツの平面的集合体よりなり、各パーツに容易に分解可能である。
外壁材４等は、このようになっている。
【００２９】
《飲食店としての使用について》
さて、図示の移動式店舗１は、飲食店用の店舗として使用され、内部に、設備用のコンテナ１９や、接客用のテーブル２０やイス２１等が配されている。
そして、コンテナ１９内外には、厨房設備２２，ポンプ付きの給水器２３，給湯器２４，電源部２５等の各種設備２６が配されており、給水器２３は、外部の水道管に接続可能、電源部２５は、外部電源に接続可能となっている。
又、縦パイプ５，横パイプ６，屋根パイプ７，屋根横パイプ８，横受パイプ１３等の各パイプ材２や、各種金物Ｂ，Ｃ，Ｄつまり上受金物Ｂ，下受金物Ｃ，縦受金物Ｄや、厨房設備２２，給水器２３，給湯器２４，電源部２５等の各種設備２６や、テーブル２０やイス２１、テント３、外壁材４，床材１４，短縦床パイプ１７，床横パイプ１８等の各構成部材は、撤収時においてコンテナ１９内に収納可能な、寸法設定，折り畳み設定，又は分解設定等よりなる。
【００３０】
このような飲食店としての使用について、更に詳述する。この移動式店舗１は、例えば大規模ラーメン店として使用される。
そして図４に示したように、内部空間Ａの床材１４上の隅部に、コンテナ１９が配置されている。このコンテナ１９は、図６の（２）図にも示したように、この出入口や窓等を備えており、内部が厨房スペースとして使用され、内部に厨房設備２１（調理テーブル，レンジ，ゆで麺器，冷蔵庫，製氷器，棚，その他），給水器２３，電源部２５，その他の各種設備２６が配設されている。
コンテナ１９の周囲には、給湯器２４，手洗器，その他の各種設備２６が配設されている。
内部空間Ａの床材１４上の中央部には、複数のテーブル２０と多数のイスが配されている。
【００３１】
そして、これらの各構成部材、すなわち、厨房設備２１，給水器２３，給湯器２４，電源部２５，その他の各種設備２６、テーブル２０，イス２１等は撤去，運搬移動時において、コンテナ１９に収納可能な設定よりなる。
更に、前述した縦パイプ５，横パイプ６，屋根パイプ７，屋根横パイプ８，横受パイプ１３等の各パイプ材２、上受金物Ｂ，下受金物Ｃ，縦受金物Ｄ，テント３，外壁材４，床材１４，短縦床パイプ１７，床横パイプ１８等も、撤去，運搬移動時において、コンテナ１９に収納可能な設定よりなる。
すなわち、これらの各構成部材（移動式店舗１を構成する各部材）は、すべてコンテナ１９内に収納可能なように、寸法設定されたり、又は折り畳み式であったり、分解可能となっていたり、更にはこれらが併用されている。
この移動式店舗１は、このように飲食店として使用される。
【００３２】
《作用等について》
本発明に係る移動式店舗１は、以上説明したように構成されている。そこで、以下のようになる。
▲１▼移動式店舗１の設営に際しては、図１，図５等に示したように、まず床材１４が、予定地の地面上に、広い四角形の床として配設される。そして、多数本の縦パイプ５が、床材１４上に四角形の内部空間Ａを囲んで形成すべく、相互間隔を存しつつ地面から立設固定される。
それから横パイプ６が、内部空間Ａの各面について複数本ずつ、相互間隔を存しつつ上下多段に配され、縦パイプ５にクロスした箇所で止着される。
▲２▼しかる後、図１，図２等に示したように、複数本の屋根パイプ７が、中心から放射状に傾斜して配され、各頂端が、上受金物Ｂに集合止着されると共に、各下端が、それぞれ下受金物Ｃ等を用いて、中位上部の高さレベルの横パイプ６に止着される。
それから、多数本の屋根横パイプ８が、各屋根パイプ７間を各高さレベル毎に連結すべく用いられ、各屋根パイプ７とクロスした箇所や、屋根横パイプ８相互間でクロスした箇所で、止着される。
▲３▼この移動式店舗１は、このような各縦パイプ５，横パイプ６，屋根パイプ７，屋根横パイプ８等のパイプ材２が、使用されており、このような各種パイプ材２を、縦，横，斜に組み付けることにより、骨組構造としてなる。
【００３３】
▲４▼それからテント３が、図１，図３，図５等に示したように、屋根パイプ７から紐材１１を介して吊り下げられて、柱のない内部空間Ａ上を張架されて覆う。テント３の外周下端は、紐材１１を介し、中位下部の高さレベルの四方の横パイプ６に止着される。又、このテント３は方形をなし、放射状に芯材１２が付加されると共に、外周縁にも芯材１２が付加されており、この芯材１２を利用して、吊り下げや止着が行われている。
▲５▼そして、図５，図６の（１）図等に示したように、テント３の外周縁が止着された四方の横パイプ６上には、上下間隔を存して、横受パイプ１３が四方に配されている。
これらの横受パイプ１３は、多数の縦受金物Ｄを介して縦パイプ５に保持されると共に、テント３の外周下部内側に接して、張架されたテント３の外周下部を、更に外側に向け湾曲すべく拡開している。
【００３４】
▲６▼これと共に、図１，図４，図５等に示したように、外壁材４が、下部の横パイプ６や縦パイプ５に止着されて、内部空間Ａの下部四面を囲っている。この外壁材４は、分解や折り畳み可能なプラスチック製よりなり、上端が、テント３の下部付近に位置し、下端が、床材１４付近に位置している。
又、外壁材４および横パイプ６の一部を切り欠いて、出入口１５が形成されており、この出入口１５には、ロック可能な扉１６が設けられている。
【００３５】
▲７▼この移動式店舗１は、このように、多数本の各種パイプ材２を骨組構造とし、上部がテント３で覆われ、下部が外壁材４で囲われており、内部が店舗として使用される。そして、骨組構造が外部に露出し、その内部にテント３や外壁材４が配された、特異な外観よりなる。
そして、図４等に示したように、例えば飲食店用の店舗として使用され、内部に、設備用のコンテナ１９や、接客用のテーブル２０やイス２１が配される。そしてコンテナ１９内外に、厨房設備２２，ポンプ付きの給水器２３，給湯器２４，電源部２５等の各種設備２６が配され、給水器２３は、外部の水道管に接続可能であり、電源部２５は、外部電源に接続可能となっている。
【００３６】
▲８▼ところで、縦パイプ５，横パイプ６，屋根パイプ７，屋根横パイプ８，横受パイプ１３等の各パイプ材２、各種金物Ｂ，Ｃ，Ｄ、厨房設備２２，給水器２３，給湯器２４，電源部２５等の各種設備２６、テーブル２０やイス２１、テント３、外壁材４，床材１４等の各構成部材は、撤収時においてコンテナ１９内に収納可能な、寸法設定，折り畳み設定，分解設定等よりなる。
▲９▼そこで、この移動式店舗１の各構成部材は、撤収時においては、各パイプ材２の組み付けが解かれ、テント３が畳まれ、外壁材４が外されて、各種金物Ｂ，Ｃ，Ｄ，各種設備２６，テーブル２０やイス２１等と共に、コンテナ１９内に収納され、もって、トレーラ等のトラックに積載されて、運搬移動される。そして、他の場所において、再び設営されることになる。
【００３７】
《各作用について》
さてそこで、この移動式店舗１にあっては、次の第１、第２、第３、第４のようになる。
第１に、この移動式店舗１は、多数本の縦パイプ５，横パイプ６，屋根パイプ７，屋根横パイプ８等の各種パイプ材２を、縦，横，斜に組み付けたことにより、強固な骨組構造としてなる。そして、このような骨組構造を利用して、上部がテント３で覆われ、下部が外壁材４で囲われている。
特に、テント３の外周下部が、横受パイプ１３にて外側に向け強制的に拡開せしめられているので、このようなテント３下に形成される内部空間Ａも、上部外周部が湾曲しつつドーム状に広げられており、広々と形成される。
もって、内部に形成された柱のない広い内部空間Ａを、大きな店舗として使用することができ、広く本格的な規模の店舗サービスを、提供・展開可能となる。
【００３８】
第２に、この移動式店舗１は、上述したように、各種パイプ材２を組み合わせた強固な骨組構造を利用して、テント３で覆われ、外壁材４で囲われている。
もって、このようなテント３や外壁材４により、内部の店舗が、外部の雨・風から、十分かつ確実に守られるようになり、雨漏りの心配や吹き飛ばされる危険は解消される。
【００３９】
第３に、この移動式店舗１は、前述したように、テント３で覆われ外壁材４で囲われた広い内部空間Ａを確保できるので、内部に、本格的な店舗を構えることができる。
例えば、飲食店用の店舗とした場合には、内部に、設備用のコンテナ１９、接客用のテーブル２０やイス２１、厨房設備２２，給水器２３，給湯器２４，電源部２５等の各種設備２６等を、充実して設けることができる。給水器２３は外部の水道管に直結接続され、電源部２５は外部電源に接続される。もって、満足の行く調理が可能となる。
又、この移動式店舗１では、食器等の洗浄も十分・確実にでき、調理はコンテナ１９内で行われ、調理音が遮断されると共に、テント３や外壁材４により外部音も遮断される。更に、テント３で覆われると共に、横パイプ６や縦パイプ５に止着された外壁材４で囲われた店舗内部は、出入口１５の扉１６をロックすることにより、容易に出入り不能・侵入不能とすることができる。
更にパイプ材２は、テント３や外壁材４の外に露出しているので、各種の広告媒体用に利用可能である。例えば、高さレベルが上位の横パイプ６は、広告看板，垂幕，旗，のぼり等の止着用に好適である。
【００４０】
第４に、この移動式店舗１は、各種パイプ材２を縦，横，斜に組み付けてから、テント３を吊り下げ、外壁材４で囲うことにより、簡単容易に設営可能である。すべての構成部材が規格化されているので、設営に際し現場での加工作業は、一切不要である。
又、各パイプ材２の組み付けを解き、テント３を畳み、外壁材４を外すことにより、簡単容易に撤収可能である。
そして、各パイプ材２，各種設備２６，テーブル２０やイス２１，テント３，外壁材４，各種金物Ｂ，Ｃ，Ｄ，床材１４，その他の各構成部材は、コンテナ１９内に収納可能な寸法設定，折り畳み設定，分解設定等よりなる。
もって、これらをコンテナ１９内に収納し、トレーラ等のトラックに積載することにより、この移動式店舗１は、簡単容易に移動可能である。
【００４１】
【発明の効果】
本発明に係る移動式店舗は、以上説明したように、多数本の各種パイプ材，特製テント，外壁材，特殊金物等を、初めて組み合わせて採用すると共に、大型トラックに積載可能な設定としたことを、特徴とする。
もって本発明は、次の効果を発揮する。
【００４２】
《第１の効果》
第１に、広く本格的な店舗サービスを、提供・展開できる。すなわち、この移動式店舗は、各種パイプ材を組み付けて、強固な骨組構造としてなり、上部がテントで覆われ、下部が外壁材で囲われている。
もって、内部の内部空間を、多人数を収容可能な店舗として使用することができ、広く本格的な店舗サービスを提供・展開可能となる。前述した移動屋台，ライトバン，テント等を使用したこの種従来例の移動式店舗に比し、はるかに本格的な規模の店舗を得ることができ、店構えを備えた通常店舗並みの店舗サービスを提供可能となる。
【００４３】
《第２の効果》
第２に、雨・風にも強い店舗とすることができる。すなわち、この移動式店舗は、上記第１の点でも述べたように、強固な骨組構造を利用して、テントで覆い外壁材で囲った構造よりなる。
もって、雨・風を十分かつ確実に、しのぎ・防ぐことができるようになる。前述した移動屋台，ライトバン，テント等を使用したこの種従来例の移動式店舗のように、雨漏りや吹き飛ばされる心配もなく、雨・風にて営業不能となる事態も発生しなくなる。この面でも、店構えを備えた通常店舗並みの店舗サービスを提供できるようになる。
【００４４】
《第３の効果》
第３に、調理面，衛生面，環境面，防犯面等にも優れている。すなわち、この移動式店舗は、前述した第１の点で述べたように、広い本格的な内部空間を確保でき、もって店構えを備えた通常店舗並みの店舗とすることができる。
例えば、飲食店用の店舗とした場合には、本格的な厨房設備，給水器，給湯器，電源部等の各種設備や、テーブルやイス等を配することができる。もって、前述した移動屋台，ライトバン，テント等を使用したこの種従来例の移動式店舗に比し、例えば、調理が満足行くまで十分できるようになり、調理面に優れるようになる。
又、食器等の洗浄も、十分・確実に実施でき、衛生面にも優れている。更に、調理はコンテナ内で行われるので調理音が気になることもなく、発電機の騒音も解消され、外部の音も遮断される等、接客環境面にも優れている。
又、店舗内部は、出入口の扉をロックすることにより、深夜・休日等の非営業時には出入不能・侵入困難とすることができ、防犯面にも優れている。
【００４５】
《第４の効果》
第４に、しかもこの移動式店舗は、設営，撤収，移動が、簡単容易に実施可能である。
すなわち、所定のパイプ，テント，外壁材等を用いたことにより、簡単容易に現場での加工作業を要せず設営可能、そして撤収可能である。例えば、２日で設営し、１日で撤収可能である。各構成部材は、コンテナに収納可能な寸法設定，折り畳み設定，分解設定等よりなるので、トラックに積載することにより、簡単容易に移動可能である。例えば、大型トラック１台で移動可能である。
もって、前述した組み立て式のプレハブ建造物を使用したこの種従来例の移動式店舗に比し、現場作業に要する手間や時間が、大幅に軽減・短縮される。
このように、この種従来例に存した課題がすべて解決される等、本発明の発揮する効果は、顕著にして大なるものがある。
【図面の簡単な説明】
【図１】本発明に係る移動式店舗について、発明の実施の形態の説明に供する、正面図である。
【図２】同発明の実施の形態の説明に供する、平面図である。
【図３】同発明の実施の形態の説明に供し、テントの平面図である。
【図４】同発明の実施の形態の説明に供し、内部の平面図である。
【図５】同発明の実施の形態の説明に供し、要部の正断面図である。
【図６】同発明の実施の形態の説明に供し、（１）図は、拡大した要部の正断面図、（２）図は、コンテナの斜視図である。
【符号の説明】
１　移動式店舗
２　パイプ材
３　テント
４　外壁材
５　縦パイプ（パイプ材２）
６　横パイプ（パイプ材２）
７　屋根パイプ（パイプ材２）
８　屋根横パイプ（パイプ材２）
９　ジャッキ
１０　クランプ
１１　紐材
１２　芯材
１３　横受パイプ
１４　床材
１５　出入口
１６　扉
１７　短縦床パイプ
１８　床横パイプ
１９　コンテナ
２０　テーブル
２１　イス
２２　厨房設備（各種設備２６）
２３　給水器（各種設備２６）
２４　給湯器（各種設備２６）
２５　電源部（各種設備２６）
２６　各種設備
Ａ　内部空間
Ｂ　上受金物
Ｃ　下受金物
Ｄ　縦受金物
【図１】
2004084238.tif 000003
【図２】
2004084238.tif 000004
【図３】
2004084238.tif 000005
【図４】
2004084238.tif 000006
【図５】
2004084238.tif 000007
【図６】
2004084238.tif 000008